(57)【要約】【課題】商用交流電源の電圧に応じて倍電圧整流と全波整流に切り替える手段を有する電源回路の平滑コンデンサと負荷に過電圧が印加されないように保護する。【解決手段】第１の平滑コンデンサ８と第２の平滑コンデンサ１２にそれぞれＭＯＳＦＥＴ９とＭＯＳＦＥＴ１３を直列に接続し、第１の平滑コンデンサ８及び第２の平滑コンデンサ１２もしくは負荷１７に印加される電圧を過電圧検出・保護回路５で検出し、所定値以上の電圧が印加された場合にＭＯＳＦＥＴ９とＭＯＳＦＥＴ１３をオフにすることで、第１の平滑コンデンサ８と第２の平滑コンデンサ１２を回路から切り離す。【効果】全波／倍電圧整流の切替方法に左右されずに平滑コンデンサと負荷の破損を確実に防止することができる。【選択図】  図１
2004187391.tif 000002
【特許請求の範囲】
【請求項１】
商用交流電源の電圧に応じて倍電圧整流と全波整流に切り替える手段を有する電源回路において、前記整流手段に接続される平滑用コンデンサと直列にＭＯＳＦＥＴを接続し、このＭＯＳＦＥＴをオフさせることで、前記平滑用コンデンサを回路から切り離す手段を具備したことを特徴とする電源回路。
【請求項２】
請求項１の電源回路において、前記平滑用コンデンサに印加される過電圧を検出する手段と、この検出手段により前記ＭＯＳＦＥＴをオフにすることで前記平滑用コンデンサに一定値以上の電圧が印加されないように保護することを特徴とする電源回路。
【請求項３】
請求項２の検出・保護手段に前記ＭＯＳＦＥＴのオフ状態を保持する手段を具備し、過電圧が検出されたときに全波整流状態を維持するようにしたことを特徴とする電源回路。
【請求項４】
整流電圧で過電圧検出を行うことを特徴とした請求項３の電源回路。
【請求項５】
請求項４の保護手段に同期し、異常信号を出力する手段を具備したことを特徴とする電源回路。
【請求項６】
請求項５を具備したことを特徴とする電源装置。
【請求項７】
請求項６の電源装置を内蔵し、異常信号を光や音に変換する手段を具備したシステム装置。
【発明の詳細な説明】
【０００１】
【発明の属する技術分野】
本発明は、１００Ｖ系と２００Ｖ系の商用交流電源に対して、それぞれ倍電圧整流と全波整流になるように切り替え、両系の商用交流電源に対して、ほぼ同一値の整流電圧を得るようにした電源回路に関する。
【０００２】
【従来の技術】
商用交流電源（以下の説明においてはＡＣ電源と称す）の電圧値は国際的にみると１００Ｖ系と２００Ｖ系があり、機器の輸出入を考慮した場合、多様なＡＣ電源に対しても問題なく使用できることが望ましい。
【０００３】
これを満足させるため、１００Ｖ系では倍電圧整流方式、２００Ｖ系では全波整流方式に切り替えて、整流電圧を両系でほぼ一定にする方法がごく一般的に使用される。
【０００４】
倍電圧整流と全波整流を切り替える手段としては、手動スイッチをオン／オフする方法や、リレーや半導体スイッチを入力電圧に応じて自動的にオン／オフする方法がある。この従来方式の回路動作について図１２を用いて説明する。
【０００５】
図１２は倍電圧整流と全波整流の切替手段を持つ従来回路の要部を示したもので、整流ダイオードブリッジ３、第１の平滑コンデンサ８、第２の平滑コンデンサ１２、全波／倍電圧整流切替回路（以下の説明においては切替回路と称す）４、ＡＣ電源入力端２ａ及び２ｂ、＋整流電圧出力端２ｃ、−整流電圧出力端２ｄにより交流直流変換回路２が構成される。これにＡＣ電源１と負荷１７が接続される。
【０００６】
整流ダイオードブリッジ３は入力端子３ｂ及び３ｃと、＋出力端子３ａ、−出力端子３ｄから構成され、＋出力端子３ａを＋直流高圧ライン１４で第１の平滑コンデンサ８の＋極と＋整流電圧出力端２ｃに接続し、−出力端子３ｄを−直流高圧ライン１６で第２の平滑コンデンサ１２の−極と−整流電圧出力端２ｄに接続され、第１の平滑コンデンサ８と第２の平滑コンデンサ１２は直列に接続され、切替回路４が第１の平滑コンデンサ８と第２の平滑コンデンサ１２の接続中点とＡＣ電源入力端２ｂの間に中線１５で接続される。
【０００７】
ここで切替回路４は、切替スイッチ４ａ、駆動回路４ｂ、入力電圧検出回路４ｃから構成される。整流方式が自動切替の場合、切替スイッチ４ａとしてリレーまたはトライアックなどの半導体スイッチが用いられ、切替回路全体としては専用ＩＣとそれに付随する部品などで構成される。また、整流方式が手動切替の場合は、切替回路４は切替えスイッチ４ａのみで構成されることになる。本発明では切替回路４の方式については特に言及しない。
【０００８】
今、ＡＣ電源１が１００Ｖ系であった場合には、手動もしくは入力電圧検出回路４ｃ及び駆動回路４ｂにより切替スイッチ４ａがオン状態に保持され、ＡＣ電源１の正の半サイクル期間に第１の平滑コンデンサ８を充電し、次にＡＣ電源１の負の半サイクル期間に第２の平滑コンデンサ１２を充電する。これにより＋整流電圧出力端２ｃと−整流電圧出力端２ｄから、倍電圧整流された電圧が負荷１７に供給されることになる。
【０００９】
一方ＡＣ電源１が２００Ｖ系であった場合には、手動もしくは入力電圧検出回路４ｃ及び駆動回路４ｂにより切替スイッチ４ａがオフ状態に保持され、ＡＣ電源１の正の半サイクル期間と負の半サイクル期間で直列に接続された第１の平滑コンデンサ８と第２の平滑コンデンサ１２を充電する。これにより＋整流電圧出力端２ｃと−整流電圧出力端２ｄから、全波整流された電圧が負荷１７に供給されることになる。
【００１０】
しかしながら図１２に示した従来の回路においては、ＡＣ電源１が２００Ｖ系であったときに交流直流変換回路２が倍電圧整流状態から全波整流状態に切り替えられなかった場合の対策が行われていないという不都合があった。
【００１１】
なお、この種の不具合を可決する手段として、特開２０００−３１６２８０号公報（下記の特許文献１）があるが、これは全波／倍電圧整流を自動で切り替える方法に限定されたものである。
【００１２】
【特許文献１】
特開２０００−３１６２８０号公報
【００１３】
【発明が解決しようとする課題】
上記従来の技術では全波／倍電圧整流の切り替えを手動で行った場合に起こり得る切替スイッチ４ａの誤操作や、自動で行った場合に起こり得る入力電圧検出回路４ｃの誤動作及び切替スイッチ４ａの故障（半導体スイッチの場合のショートやリレー等の接点熔着等が考えられる）等により、倍電圧整流状態のまま２００Ｖ系のＡＣ電源１が供給された場合、第１の平滑コンデンサ８及び第２の平滑コンデンサ１２並びに負荷１７に過電圧が印加されることになり、これらの破損が懸念される。特に第１の平滑コンデンサ８及び第２の平滑コンデンサ１２においては、防爆弁作動による音、煙及び異臭の発生を伴うため、使用者に与える不安が大きいことが問題となる。
【００１４】
本発明の目的は、全波／倍電圧整流の切替方法に左右されずに、第１の平滑コンデンサ８及び第２の平滑コンデンサ１２に印加される過電圧を防止し、使用者に不安を与えないようにする技術を提供することにある。
【００１５】
本発明の他の目的は、全波／倍電圧整流の切替方法に左右されずに、交流直流変換回路２及びこれに接続される負荷１７の破損を確実に防止する技術を提供することにある。
【００１６】
本発明のさらなる他の目的は、全波／倍電圧整流の切替方法に左右されずに、交流直流変換回路２及びこれに接続される負荷１７の破損を確実に防止するとともに、切替スイッチ４ａが設定されている状態もしくは接続されるＡＣ電源１の状態が異常であることを使用者に知らしめる技術を提供することにある。
【００１７】
【課題を解決するための手段】
上記目的を達成するために、本発明の回路は、ＡＣ電源１の電圧に応じて整流手段を全波整流状態と倍電圧整流状態に手動もしくは自動で切り替えを行う切替スイッチを有する電源回路において、第１の平滑コンデンサ８及び第２の平滑コンデンサ１２もしくは負荷１７に印加される電圧を監視する検出手段と、この検出手段により過電圧が検出された時に第１の平滑コンデンサ８及び第２の平滑コンデンサ１２を回路から切り離し、異常電圧が入力されないように保護する手段を具備したものである。
【００１８】
上記他の目的を達成するために、本発明の回路は、過電圧が検出された時に前記第１の平滑コンデンサ８及び第２の平滑コンデンサ１２を回路から切り離し、異常電圧が入力されないように保護する手段に保持回路を付加し、過電圧の原因を解除するまで全波整流状態を保持することで、第１の平滑コンデンサ８、第２の平滑コンデンサ１２及び負荷１７を過電圧から保護する手段を具備したものである。
【００１９】
上記さらなる他の目的を達成するために、本発明の回路は、前記第１の平滑コンデンサ８及び第２の平滑コンデンサ１２を回路から切り離し保持する手段に同期して、異常信号を出力する手段を具備したものである。
【００２０】
【発明の実施の形態】
以下、本発明の実施の形態を、図面を参照しながら詳細に説明する。なお図１２と同一の部分には同一の符号を付与して詳細な説明は省略する。
【００２１】
図１は本発明による電源回路構成の要部を示したブロック図で、第１の平滑コンデンサ８の−極と中線１５の間にＭＯＳＦＥＴ９が直列に接続され、＋直流高圧ライン１４と中線１５間に直列に接続された抵抗６と抵抗７の接続点とＭＯＳＦＥＴ９のゲート端子が接続されている。また、第２の平滑コンデンサ１２の−極と−直流高圧ライン１６の間にＭＯＳＦＥＴ１３が直列に接続され、中線１５と−直流高圧ライン１６間に直列に接続された抵抗１０と抵抗１１の接続点とＭＯＳＦＥＴ１３のゲート端子が接続されている。さらに、過電圧検出・保護回路５は端子５ａで＋直流高圧ライン１４、端子５ｃで中線１５、端子５ｅで−直流高圧ライン１６、端子５ｂでＭＯＳＦＥＴ９のゲート端子、端子５ｄでＭＯＳＦＥＴ１３のゲート端子にそれぞれ接続されている。
【００２２】
ここで過電圧検出・保護回路５は図２に示すように、第１の平滑コンデンサ８用として、端子５ａと端子５ｃ間に接続されたツェナーダイオード２０Ｈ、抵抗２１Ｈ、抵抗２２Ｈと、端子５ｂと端子５ｃ間及び抵抗２１Ｈと抵抗２２Ｈの接続点に接続されたトランジスタ２３Ｈで構成されている。また、第２の平滑コンデンサ１２用として端子５ｃと端子５ｅ間に接続されたツェナーダイオード２０Ｌ、抵抗２１Ｌ、抵抗２２Ｌと、端子５ｄと端子５ｅ間及び抵抗２１Ｌと抵抗２２Ｌの接続点に接続されたトランジスタ２３Ｌで構成されている。
【００２３】
今、ＡＣ電源１が入力されると、抵抗６と抵抗７で分圧された電圧によりＭＯＳＦＥＴ９がオンになり、また抵抗１０と抵抗１１で分圧された電圧によりＭＯＳＦＥＴ１３がオンになる。これにより第１の平滑コンデンサ８と第２の平滑コンデンサ１２が交流直流変換回路２に完全に接続された状態となり、端子２ｃ及び端子２ｄより安定化した直流電圧を負荷１７に出力する。このときの直流電圧は以下の条件により、約２８０〜３４０ＶＤＣとなり、第１の平滑コンデンサ８と第２の平滑コンデンサ１２には、この半分の電圧がそれぞれ印加されることになる。
・倍電圧整流時：（ＡＣ電源１の電圧値）×√２×２
ＡＣ電源１＝１００Ｖ系（１００Ｖ〜１２０ＶＡＣ）
・全波整流時  ：（入力電源１の電圧値）×√２
ＡＣ電源１＝２００Ｖ系（２００Ｖ〜２４０ＶＡＣ）
今、切替スイッチ４ａが閉じられたままＡＣ電圧１として２００Ｖ系が入力されるという異常状態が生じると、直流出力電圧は前述の２倍になり、第１の平滑コンデンサ８と第２の平滑コンデンサ１２に印加される電圧も同じく２倍になる。一般に平滑コンデンサには、ＡＣ電源１の偏差約１０％を考慮して２００Ｖ定格電圧品が使われるため、この異常状態では第１の平滑コンデンサ８と第２の平滑コンデンサ１２それぞれに約２８０〜３４０ＶＤＣの電圧が印加され、定格電圧を完全にオーバーすることになる。
【００２４】
このため、図２に示した過電圧検出・保護回路５によって、第１の平滑コンデンサ８と第２の平滑コンデンサ１２に印加される電圧を検出し、定格電圧を超えないように構成されている。
【００２５】
したがって第１の平滑コンデンサ８に印加される電圧が異常である場合に、ツェナーダイオード２０Ｈと抵抗２１Ｈによりトランジスタ２３Ｈのベース端子にバイアス電流が流れ、トランジスタ２３Ｈはオンになる。これにより、ＭＯＳＦＥＴ９のゲート−ソース間電圧が低下しＭＯＳＦＥＴ９がオフになるため、第１の平滑コンデンサ８が回路から切り離された状態となり、第１の平滑コンデンサ８にはある一定値以上の電圧は印加されない。
【００２６】
同じように第２の平滑コンデンサ１２に印加される電圧が異常である場合には、ツェナーダイオード２０Ｌと抵抗２１Ｌによるバイアス電流でトランジスタ２３Ｌがオンになり、これによってＭＯＳＦＥＴ１３がオフし第２の平滑コンデンサ１２は回路から切り離された状態になる。
【００２７】
しかしながらこの回路構成で過電圧保護が動作したときに負荷１７に出力される直流電圧は、図５−（２）に示すような波形（一例として検出電圧を１９０Ｖとした時のもの）となり、負荷１７に対しては過電圧が印加された状態になる。図３は図２で構成された過電圧検出・保護回路５に対し、第１の平滑コンデンサ８と第２の平滑コンデンサ１２に加え、負荷１７に過電圧が印加されないように構成されたもので、第１の平滑コンデンサ８用として端子５ａと端子５ｃの間に抵抗３０Ｈ、ツェナーダイオード３１Ｈ及びコンデンサ３２Ｈによる降圧電源回路と、抵抗３３Ｈ、抵抗３４Ｈ、抵抗３６Ｈ及びシャントレギュレータ３７Ｈによる電圧検出回路と、抵抗３５Ｈ、抵抗３８Ｈ、抵抗４１Ｈ、抵抗４２Ｈ、トランジスタ３９Ｈ、トランジスタ４０Ｈによるサイリスタ回路を構成し、さらに端子５ｂとトランジスタ３９Ｈのコレクタ端子の間にダイオード４３Ｈが接続される。
【００２８】
同様に第２の平滑コンデンサ１２用として端子５ｃと端子５ｅの間に抵抗３０Ｌ、ツェナーダイオード３１Ｌ及びコンデンサ３２Ｌによる降圧電源回路と、抵抗３３Ｌ、抵抗３４Ｌ、抵抗３６Ｌ及びシャントレギュレータ３７Ｌによる電圧検出回路と、抵抗３５Ｌ、抵抗３８Ｌ、抵抗４１Ｌ、抵抗４２Ｌ、トランジスタ３９Ｌ、トランジスタ４０Ｌによるサイリスタ回路を構成し、さらに端子５ｄとトランジスタ３９Ｌのコレクタ端子の間にダイオード４３Ｌが接続される。
【００２９】
第１の平滑コンデンサ８に印加される電圧が異常である場合に、抵抗３３Ｈと抵抗３４Ｈによりシャントレギュレータ３７Ｈがオンになり、トランジスタ４０Ｈのベース端子にバイアス電流が流れ、トランジスタ４０Ｈはオンになる。これにより、トランジスタ３９Ｈのベース端子に抵抗４１Ｈを介してバイアス電流が流れ込み、トランジスタ３９Ｈはオンになる。トランジスタ３９Ｈのコレクタ端子はダイオード４３Ｈと端子５ｂを介してＭＯＳＦＥＴ９のゲート端子に接続されているため、ＭＯＳＦＥＴ９のゲート−ソース間電圧が低下しＭＯＳＦＥＴ９がオフになり、第１の平滑コンデンサ８が回路から切り離された状態となる。ここで第１の平滑コンデンサに印加される電圧が低下してシャントレギュレータ３７Ｈがオフになっても、トランジスタ３９Ｈとトランジスタ４０Ｈがお互いにバイアスし続けるため、第１の平滑コンデンサ８は回路から切り離された状態を保持し、ＡＣ電源１を一度切り離すまでは第１の平滑コンデンサ８には電圧が印加されない。
【００３０】
同じように第２の平滑コンデンサ１２に印加される電圧が異常である場合に、抵抗３３Ｌと抵抗３４Ｌによりシャントレギュレータ３７Ｌがオンになり、トランジスタ４０Ｌのベース端子にバイアス電流が流れ、トランジスタ４０Ｌはオンになる。これにより、トランジスタ３９Ｌのベース端子に抵抗４１Ｌを介してバイアス電流が流れ込み、トランジスタ３９Ｌはオンになる。トランジスタ３９Ｌのコレクタ端子はダイオード４３Ｌと端子５ｄを介してＭＯＳＦＥＴ１３のゲート端子に接続されているため、ＭＯＳＦＥＴ１３のゲート−ソース間電圧が低下しＭＯＳＦＥＴ１３がオフになり、第２の平滑コンデンサ１２が回路から切り離された状態となる。ここで第２の平滑コンデンサに印加される電圧が低下してシャントレギュレータ３７Ｌがオフになっても、トランジスタ３９Ｌとトランジスタ４０Ｌがお互いにバイアスし続けるため、第２の平滑コンデンサ１２は回路から切り離された状態を保持し、ＡＣ電源１を一度切り離すまでは第２の平滑コンデンサ１２には電圧が印加されない。
【００３１】
このため、この回路構成で過電圧保護が動作したときに負荷１７に出力される直流電圧は、図５−（３）に示すような波形となり、負荷１７に対しては過電圧は印加されずに平滑されない直流電圧（全波整流電圧）が印加された状態になる。これにより負荷１７に相当する装置は、一般的に動作停止状態になるため、第１の平滑コンデンサ８と第２の平滑コンデンサ１２及び負荷１７を破損させることなく保護することが可能になる。
【００３２】
図４は図３で構成された過電圧検出・保護回路５に対し、負荷１７に印加される電圧で過電圧を検出するようにしたもので、端子５ａと端子５ｅの間に抵抗５０、ツェナーダイオード５１及びコンデンサ５２による降圧電源回路と、抵抗５３、抵抗５４、抵抗５６及びシャントレギュレータ５７による電圧検出回路と、抵抗５５、抵抗５８、抵抗６３、抵抗６４、トランジスタ６１、トランジスタ６２によるサイリスタ回路を構成し、抵抗５８とトランジスタ６１のコレクタ端子の間にフォトカプラ５９のＬＥＤ側とフォトカプラ６０のＬＥＤ側が直列に接続される。さらに端子５ｂと端子５ｃにはフォトカプラ５９のトランジスタ側が接続され、また端子５ｄと端子５ｅにはフォトカプラ６０のトランジスタ側が接続される。
【００３３】
負荷１７に印加される電圧が異常である場合に、抵抗５３と抵抗５４によりシャントレギュレータ５７がオンになり、トランジスタ６２のベース端子にバイアス電流が流れ、トランジスタ６２はオンになる。これにより、トランジスタ６１のベース端子に抵抗６３を介してバイアス電流が流れ込み、トランジスタ６１はオンになりフォトカプラ５９及びフォトカプラ６０のＬＥＤが点灯し、フォトカプラ５９及びフォトカプラ６０のトランジスタ側が同時にオンになる。フォトカプラ５９及びフォトカプラ６０のトランジスタ側は端子５ｂ、端子５ｃ、端子５ｄ、端子５ｅを介してそれぞれＭＯＳＦＥＴ９とＭＯＳＦＥＴ１３のゲート−ソース端子間に接続されているため、ＭＯＳＦＥＴ９とＭＯＳＦＥＴ１３のゲート−ソース間電圧が低下しオフになる。これにより第１の平滑コンデンサ８及び第２の平滑コンデンサ１２が同時に回路から切り離された状態となる。ここで負荷１７に印加される電圧が低下してシャントレギュレータ５７がオフになっても、トランジスタ６２とトランジスタ６１がお互いにバイアスし続けるため、フォトカプラ５９とフォトカプラ６０はオン状態を保持し、これにより第１の平滑コンデンサ８及び第２の平滑コンデンサ１２は回路から切り離された状態を保持し、ＡＣ電源１を一度切り離すまでは電圧が印加されない。
【００３４】
このため、この回路構成で過電圧保護が動作したときに負荷１７に出力される直流電圧は、図３の回路構成の場合と同様に、図５−（３）に示すような波形となり、負荷１７に対しては過電圧は印加されずに平滑されない直流電圧（全波整流電圧）が印加された状態になる。これにより負荷１７に相当する装置は、一般的に動作停止状態になるため、第１の平滑コンデンサ８と第２の平滑コンデンサ１２及び負荷１７を破損させることなく保護することが可能になる。
【００３５】
図６は本発明の一実施例を示したもので、図１における負荷１７としてＤＣＤＣコンバータ８０が接続されて直流安定化電源９０を構成する。また直流安定化電源９０は出力端子９０ａ、出力端子９０ｃ及び信号端子９０ｂでシステム装置１００に接続され、信号端子９０ｂからはシステム装置１００内の異常通知手段２００に端子２００ａで接続される。
【００３６】
図６内の過電圧検出・保護手段５は図７に示すように構成され、図４の回路構成のフォトカプラ６０とトランジスタ６１のコレクタ端子の間にフォトカプラ７０のＬＥＤ側が接続される。またフォトカプラ７０のトランジスタ側はＤＣＤＣコンバータ８０の信号端子９０ｂと出力端子９０ｃの間に接続される。
【００３７】
また、図６内の異常通知手段２００は図８に示すようなスピーカ２００ｃや図９に示すような抵抗２００ｅとＬＥＤ２００ｄで構成される。
【００３８】
図４で説明した通り、ＤＣＤＣコンバータ８０に印加される電圧が異常であった場合フォトカプラ５９及びフォトカプラ６０はオン状態を保持するため、第１の平滑コンデンサ８及び第２の平滑コンデンサ１２は回路から切り離された状態が保持され、第１の平滑コンデンサ８と第２の平滑コンデンサ１２及びＤＣＤＣコンバータ８０を破損させることなく保護することが可能になる。
【００３９】
さらにフォトカプラ７０もフォトカプラ５９及びフォトカプラ６０と同期してオン状態が保持されるため、異常通知手段２００に異常信号ＶＡＬＭが出力され、スピーカ２００ｃによるビープ音や、ＬＥＤ２００ｄによる点灯表示により、異常を知らせることが可能になる。
【００４０】
図１０は図６〜図９に示す構成を、パーソナルコンピュータなどの情報処理装置に採用した場合の一例をより具体的に示したものであり、図６のシステム装置１００として本体装置１００ａと表示装置１００ｂとで構成され、直流安定化電源９０は本体装置１００ａに内蔵される。過電圧を検出すると前述の一連の動作により、本体装置１００ａにあるスピーカ２００ｃやＬＥＤ２００ｄによって、異常であることを使用者に通知すること可能となる。また、信号ケーブル１００ｃを介して表示装置１００ｂにあるスピーカ２００ｃやＬＥＤ２００ｄによって、異常であることを使用者に通知することも可能となる。
【００４１】
図１１は本発明における一連の流れをフローチャートで示したものである。
【００４２】
【発明の効果】
本発明によれば、商用交流電源の電圧に応じて倍電圧整流と全波整流に切り替える手段を有する電源回路において、平滑コンデンサに印加される電圧や整流電圧を検出する手段によって、平滑コンデンサを回路から切り離す手段を設けたため、平滑コンデンサや負荷を過電圧から確実に保護することができる。
【００４３】
また、本発明の整流回路の負荷としてＤＣＤＣコンバータを使用して直流安定化電源装置を構成し、異常通知手段を設けて例えばパーソナルコンピュータなどに内蔵することで、回路の保護をするとともに使用者に対して確実に異常であることを通知することができる。
【図面の簡単な説明】
【図１】本発明の構成を示す電源回路図である。
【図２】図１に示した過電圧検出・保護回路の詳細を示す回路図である。
【図３】図１に示した過電圧検出・保護回路の詳細を示す他の回路図である。
【図４】図１に示した過電圧検出・保護回路の詳細を示すさらに他の回路図である。
【図５】図１〜図４に示した回路における電圧波形図である。
【図６】本発明による直流安定化電源の構成を示すブロック図である。
【図７】図６に示した過電圧検出・保護回路の詳細を示す回路図である。
【図８】図６に示した異常通知手段の詳細を示す回路図である。
【図９】図６に示した異常通知手段の詳細を示す他の回路図である。
【図１０】本発明の実施例を示したシステム装置の外観図である。
【図１１】本発明の一連の動作を示したフローチャート図である。
【図１２】従来技術の構成を示す回路図である。
【符号の説明】
１…ＡＣ電源、２…交流直流変換回路、３…整流ダイオードブリッジ、４…切替回路、５…過電圧検出・保護回路、８…第１の平滑コンデンサ、９…ＭＯＳＦＥＴ、１２…第２の平滑コンデンサ、１３…ＭＯＳＦＥＴ、１７…負荷、８０…ＤＣＤＣコンバータ、９０…直流安定化電源、１００…システム装置、１００ａ…装置本体、１００ｂ…表示装置、２００…異常通知手段。
【図１】
2004187391.tif 000003
【図２】
2004187391.tif 000004
【図３】
2004187391.tif 000005
【図４】
2004187391.tif 000006
【図５】
2004187391.tif 000007
【図６】
2004187391.tif 000008
【図７】
2004187391.tif 000009
【図８】
2004187391.tif 000010
【図９】
2004187391.tif 000011
【図１０】
2004187391.tif 000012
【図１１】
2004187391.tif 000013
【図１２】
2004187391.tif 000014